(57)【要約】【課題】端末装置を無線ＬＡＮに一時的に接続する場合において、従来と比較して、利用者の作業負荷を軽減するとともにセキュリティを高めることのできる技術を提供する。【解決手段】無線ＬＡＮアダプタ２の無線ＬＡＮＩ／Ｆ２５は、アクセスポイント４と所定のプロトコルに基づいてデータの授受を行う。コントローラ２２は、無線ＬＡＮＩ／Ｆ２５によって受信されたデータを、無線ＬＡＮモード設定記憶領域２３１に記憶された設定情報に従ってデコード処理を施すとともに、有線ＬＡＮに準拠した形式に変換して、有線ＬＡＮＩ／Ｆ２４に供給する。有線ＬＡＮＩ／Ｆ２４は、供給されるデータを、ＵＳＢ接続端子２１を介して端末装置１へ出力する。また、このとき、コントローラ２２は、端末装置１から無線ＬＡＮモード設定記憶領域２３１へのアクセスを禁止する。コントローラ２２は、端末装置１から無線ＬＡＮモード設定記憶領域２３１へのアクセスを禁止する。【選択図】図２
2009088875.tif 000002
【特許請求の範囲】
【請求項１】
コンピュータの入出力端子に接続される端子と、
前記端子を介して前記コンピュータと通信を行う有線ＬＡＮインタフェースと、
無線通信を行うための設定情報を記憶する設定情報記憶手段と、
前記設定情報記憶手段に記憶された設定情報に基づいて、無線アクセスポイントと所定のプロトコルに基づいてデータの授受を行い、そのデータを前記有線ＬＡＮインタフェースとの間で送受信する無線ＬＡＮインタフェースと、
前記コンピュータから前記設定情報記憶手段へのアクセスを禁止するアクセス禁止手段と
を具備することを特徴とする通信アダプタ。
【請求項２】
前記有線ＬＡＮインタフェースは、前記コンピュータに装備されるドライバで動作する
ことを特徴とする請求項１に記載の通信アダプタ。
【請求項３】
前記設定情報は、暗号化方式の種別を示す暗号化種別情報を含み、
前記無線ＬＡＮインタフェースにより受信されたデータを、前記設定情報記憶手段に記憶された暗号化種別情報に従ってデコードし、デコードしたデータを前記有線ＬＡＮインタフェースに出力するデコード手段
を具備することを特徴とする請求項１又は２に記載の通信アダプタ。
【発明の詳細な説明】
【技術分野】
【０００１】
本発明は、通信アダプタに関する。
【背景技術】
【０００２】
パーソナルコンピュータ等のコンピュータ装置において、無線ＬＡＮ（Local Area Network）を利用するためには、ドライバのインストールや暗号化方式の選択、アクセスポイントの設定などといった、各種の設定作業を利用者が行う必要がある。このような設定作業は煩雑であることが多く、また、不慣れな利用者にとっては設定が困難な場合もある。特許文献１では、無線ＬＡＮアダプタを確実に機能させるため、ＵＳＢ（Universal Serial Bus）接続端子、キーボードエミュレート機能装備により、コマンド入力不要で不揮発性メモリに記憶している任意のファイルをロードさせて実行する技術が開示されている。
【特許文献１】特開２００５−２８４９５３号公報
【発明の開示】
【発明が解決しようとする課題】
【０００３】
ところで、或る環境において、一時的に無線ＬＡＮを用いて通信を行いたい場合がある。このように、一時的にのみ無線ＬＡＮを利用する場合であっても、利用者は、無線ＬＡＮを利用するためのドライバのインストールやアクセスポイントの設定などの各種の設定作業を行う必要があった。ドライバが既にインストール済みの装置を用いる場合であっても、その環境に対応するアクセスポイントの設定等の各種の設定を行う必要があり、その作業は煩雑であった。更に、これらの無線ＬＡＮの接続に係る各種の設定情報は、使用された端末装置にコピーされて保存される。無線ＬＡＮの一時的な利用を終えた後も、これらの設定情報は使用された端末装置にそのまま保存されてしまう。そのため、これらの設定情報が利用者の端末装置に残ってしまうこととなり、外部に流出したり悪用されたりするといった虞があった。
【０００４】
本発明は上述した背景に鑑みてなされたものであり、端末装置を無線ＬＡＮに一時的に接続する場合において、従来と比較して、利用者の作業負荷を軽減するとともにセキュリティを高めることのできる技術を提供することを目的とする。
【課題を解決するための手段】
【０００５】
本発明の好適な態様である通信アダプタは、コンピュータの入出力端子に接続される端子と、前記端子を介して前記コンピュータと通信を行う有線ＬＡＮインタフェースと、無線通信を行うための設定情報を記憶する設定情報記憶手段と、前記設定情報記憶手段に記憶された設定情報に基づいて、無線アクセスポイントと所定のプロトコルに基づいてデータの授受を行い、そのデータを前記有線ＬＡＮインタフェースとの間で送受信する無線ＬＡＮインタフェースと、前記コンピュータから前記設定情報記憶手段へのアクセスを禁止するアクセス禁止手段とを具備することを特徴とする。
【０００６】
上述の態様において、前記有線ＬＡＮインタフェースは、前記コンピュータに装備されるドライバで動作してもよい。
また、上述の態様において、前記設定情報は、暗号化方式の種別を示す暗号化種別情報を含み、前記無線ＬＡＮインタフェースにより受信されたデータを、前記設定情報記憶手段に記憶された暗号化種別情報に従ってデコードし、デコードしたデータを前記有線ＬＡＮインタフェースに出力するデコード手段を具備してもよい。
【発明の効果】
【０００７】
本発明によれば、端末装置を無線ＬＡＮに一時的に接続する場合において、従来と比較して、利用者の作業負荷を軽減するとともにセキュリティを高めることができる。
【発明を実施するための最良の形態】
【０００８】
＜構成＞
図１は、この発明の一実施形態に係るシステムの構成を示すブロック図である。図において、端末装置１ａ，１ｂ，１ｃは、パーソナルコンピュータ等のコンピュータ装置であり、このシステムの利用者によって利用される。以下の説明においては、端末装置１ａ，１ｂ，１ｃをそれぞれ区別する必要がない場合には、これらを「端末装置１」と称して説明する。また、図１に示す例においては、図面が煩雑になるのを防ぐため、３台の端末装置１のみを図示しているが、端末装置１の数はこれより多くても少なくてもよい。端末装置１は、ＵＳＢスロット１５を備えており、このＵＳＢスロット１５にＵＳＢメモリ等のＵＳＢ接続端子を備えた機器やＵＳＢケーブル等を接続できるようになっている。
【０００９】
無線ＬＡＮアダプタ２ａ，２ｂ，２ｃは、端末装置１ａ，１ｂ，１ｃに無線ＬＡＮ接続を行わせるための通信アダプタである。無線ＬＡＮアダプタ２ａ，２ｂ，２ｃは、無線ＬＡＮ環境の管理者によって、端末装置１ａ，１ｂ，１ｃの利用者に配布される。以下の説明においては、無線ＬＡＮアダプタ２ａ，２ｂ，２ｃをそれぞれ区別する必要がない場合には、これらを「無線ＬＡＮアダプタ２」と称して説明する。無線ＬＡＮアダプタ２は、ＵＳＢ接続端子２１を備えており、このＵＳＢ接続端子２１が端末装置１のＵＳＢスロット１５に差し込まれることで、無線ＬＡＮアダプタ２と端末装置１とが接続可能となっている。
【００１０】
情報提供装置３は、パーソナルコンピュータ等のコンピュータ装置であり、端末装置１にオーディオデータや映像データ等の各種のデータを配信する。アクセスポイント４は、無線ＬＡＮで端末間を接続する電波中継機である。情報提供装置３とアクセスポイント４とは、図１に示すように、ＬＡＮなどの通信網５により通信可能に接続されている。図１に示す例では、情報提供装置３が通信網５に有線接続されている場合を図示しているが、情報提供装置３は、無線接続されていてもよい。
【００１１】
次に、無線ＬＡＮアダプタ２の構成について、図２を参照しつつ説明する。図２は、無線ＬＡＮアダプタ２のハードウェア構成の一例を示すブロック図である。ＵＳＢ接続端子２１は、端末装置１のＵＳＢスロット１５に差込可能となっており、端末装置１のＵＳＢスロット１５にＵＳＢ接続端子２１が差し込まれることにより、端末装置１から無線ＬＡＮアダプタ２へ電力が供給され、この供給される電力により無線ＬＡＮアダプタ２の各部が駆動される。すなわち、端末装置１のＵＳＢスロット１５に無線ＬＡＮアダプタ２のＵＳＢ接続端子２１を差し込むことにより、無線ＬＡＮアダプタ２の通信制御が起動する。無線ＬＡＮアダプタ２の各部にはＵＳＢ接続端子２１を介して電力が供給されるが、図２においては、図面が煩雑になるのを防ぐため、給電ラインは省略している。図において、コントローラ２２は、ＣＰＵ（Central Processing Unit）やＲＯＭ（Read Only Memory）、ＲＡＭ（Random Access Memory）を備え、ＲＯＭ又は記憶部２３に記憶されているコンピュータプログラムを読み出して実行することにより、無線ＬＡＮアダプタ２の各部を制御する。記憶部２３は、コントローラ２２によって実行されるプログラムや各種設定情報を記憶するための記憶手段であり、例えばＥＥＰＲＯＭ（Electronically Erasable and Programmable Read Only Memory）である。有線ＬＡＮＩ／Ｆ２４は、有線ＬＡＮに準拠した方式で通信を行うためのインタフェースである。有線ＬＡＮＩ／Ｆ２４は、端末装置１等のコンピュータのオペレーティングシステムに標準装備されるドライバで動作し、ＵＳＢ接続端子２１を介して、コンピュータと通信を行う。無線ＬＡＮＩ／Ｆ２５は、アクセスポイント４と所定のプロトコルに基づいてデータの授受を行い、そのデータを有線ＬＡＮＩ／Ｆ２４との間で送受信する。
【００１２】
記憶部２３は、図示のように、無線ＬＡＮモード設定記憶領域２３１を有している。無線ＬＡＮモード設定記憶領域２３１には、無線ＬＡＮに関する各種の設定情報、例えば、「通信モード」、「アクセスポイント」、「ＳＳＩＤ（Service Set Identifier）」、「暗号化方式」、「認証」等が記憶されている。「通信モード」としては、無線ＬＡＮの通信種別を示す情報が記憶される。「アクセスポイント」としては、利用する無線ＬＡＮのアクセスポイントを示す情報が記憶される。「ＳＳＩＤ」としては、無線ＬＡＮにおけるアクセスポイントの識別子が記憶される。「暗号化方式」としては、暗号化方式の種別を示す情報が記憶される。「認証」としては、認証方式の種別を示す情報が記憶される。
【００１３】
コントローラ２２は、無線ＬＡＮＩ／Ｆ２５によって受信されたデータを、無線ＬＡＮモード設定記憶領域２３１に記憶された設定情報に従って、デコード処理等を施し、有線ＬＡＮＩ／Ｆ２４に出力する。具体的には、例えば、コントローラ２２は、無線ＬＡＮモード設定記憶領域２３１に記憶された「暗号化方式」の暗号化種別に従って、暗号解析処理を行う。
【００１４】
これらの設定情報は、無線ＬＡＮアダプタ２が利用者に貸し出される前に、専用の書き込み装置によって無線ＬＡＮモード設定記憶領域２３１に記憶される。この無線ＬＡＮモード設定記憶領域２３１には、専用の書き込み装置のみがアクセス可能となっており、端末装置１等の装置、すなわち専用の書き込み装置以外の装置は、この無線ＬＡＮモード設定記憶領域２３１にアクセスできない構成となっている。具体的には、専用の書き込み装置の固有識別番号を無線ＬＡＮアダプタ２に予め登録しておき、無線ＬＡＮアダプタ２は、接続された装置の固有識別番号を取得し、登録された固有識別番号と照合し、一致する場合にはアクセスを許可する一方、一致しない場合にはアクセスを禁止する。なお、無線ＬＡＮアダプタ２へのアクセス制限の態様はこれに限定されるものではなく、例えば、所定の認証情報を予め無線ＬＡＮアダプタ２及び専用の書き込み装置の少なくともいずれか一方に記憶させておき、この認証情報を用いて装置を照合することによってアクセス制限を行うようにしてもよい。
【００１５】
次に、端末装置１の構成について説明する。図３は、端末装置１のハードウェア構成の一例を示すブロック図である。図において、制御部１１は、ＣＰＵやＲＯＭ、ＲＡＭを備え、ＲＯＭ又は記憶部１２に記憶されているコンピュータプログラムを読み出して実行することにより、バスを介して端末装置１の各部を制御する。記憶部１２は、制御部１１によって実行されるプログラムやその実行時に使用されるデータを記憶するための記憶手段であり、例えばハードディスクである。記憶部１２には、オペレーティングシステムＯＳ等の各種ソフトウェアプログラムが記憶されている。表示部１３は、液晶表示パネル等を備え、制御部１１による制御の下に各種の画像を表示する。操作部１４は、利用者による操作に応じた信号を制御部１１に出力する。マイクロホン１６は、収音し、収音した音声を表す音声信号（アナログ信号）を出力する。音声処理部１７は、マイクロホン１６が出力する音声信号（アナログ信号）をデジタルデータに変換して制御部１１に出力する。スピーカ１８は、音声処理部１７でデジタルデータからアナログ信号に変換され出力される音声信号に応じた強度で放音する放音手段である。ＵＳＢスロット１５は、ＵＳＢ接続端子が差し込み可能となっており、このＵＳＢスロット１５に差し込まれたＵＳＢ接続端子との間でデータの授受を行う。
【００１６】
なお、この実施形態では、マイクロホン１６とスピーカ１８とが端末装置１に含まれている場合について説明するが、音声処理部１７へ入力端子及び出力端子を設け、オーディオケーブルを介してその入力端子に外部マイクロホンを接続するとしても良く、同様に、オーディオケーブルを介してその出力端子に外部スピーカを接続するとしても勿論良い。また、本実施形態では、マイクロホン１６から音声処理部１７へ入力される音声信号及び音声処理部１７からスピーカ１８へ出力される音声信号がアナログ音声信号である場合について説明するが、デジタル音声データを入出力するようにしても良い。このような場合には、音声処理部１７にてＡ／Ｄ変換やＤ／Ａ変換を行う必要はない。
【００１７】
端末装置１には、オペレーティングシステムＯＳが予めインストールされている。端末装置１にインストールされたオペレーティングシステムＯＳには、有線ＬＡＮによってデータを受信するためのドライバが標準装備されている。そのため、端末装置１の利用者は、標準装備されたドライバで動作可能な有線ＬＡＮを利用する場合は、ドライバのインストールや各種の設定といった作業を行う必要がなく、有線ＬＡＮケーブルを端末装置１に差し込むだけで、有線ＬＡＮを用いた通信が可能となっている。
【００１８】
次に、情報提供装置３の構成について説明する。図４は、情報提供装置３のハードウェア構成の一例を示すブロック図である。図において、制御部３１は、ＣＰＵやＲＯＭ、ＲＡＭを備え、ＲＯＭ又は記憶部３２に記憶されているコンピュータプログラムを読み出して実行することにより、バスを介して情報提供装置３の各部を制御する。記憶部３２は、制御部３１によって実行されるプログラムやその実行時に使用されるデータを記憶するための記憶手段であり、例えばハードディスク装置である。表示部３３は、液晶表示パネル等を備え、制御部１１による制御の下に各種の画像を表示する。操作部３４は、操作者による操作に応じた信号を制御部１１に出力する。通信部３５は、他の装置との間で通信を行うための通信手段であり、通信網５に有線接続されている。なお、この実施形態では、通信部３５が、通信網５に有線接続されている場合について説明するが、無線通信を行う無線通信部であってもよい。
【００１９】
＜動作＞
次に、この実施形態の動作について説明する。
＜初期設定動作＞
まず、この無線ＬＡＮ環境の管理者は、専用の書き込み装置を用いて、複数の無線ＬＡＮアダプタ２のそれぞれに、無線ＬＡＮに接続するための各種の設定情報を無線ＬＡＮモード設定記憶領域２３１に書き込むための操作を行う。この設定情報として、「アクセスポイント」としては図１のアクセスポイント４に対応する識別情報を設定し、また、アクセスポイント４に対応する通信モードやＳＳＩＤ、暗号化方式、認証方式等を用いる。専用の書き込み装置は、管理者によって操作された内容に応じて、無線ＬＡＮアダプタ２の無線ＬＡＮモード設定記憶領域２３１へのデータの書き込みを試みる。無線ＬＡＮアダプタ２のコントローラ２２は、他の装置からのアクセス要求を検知すると、アクセス元の装置の固有識別番号等を参照して、アクセス元の装置が専用の書き込み装置であるか否かを判定する。コントローラ２２は、判定結果が肯定的である場合には設定情報の書き込みを許可する一方、判定結果が否定的である場合にはアクセスを禁止する。
【００２０】
＜無線通信動作＞
次に、無線ＬＡＮ環境を用いた通信動作について説明する。以下の説明では、情報提供装置３から端末装置１へ、オーディオデータや映像データ等の各種のデータを配信する動作について説明する。まず、管理者は、無線ＬＡＮを利用させたい利用者に、設定情報が書き込まれた無線ＬＡＮアダプタ２を配布する。利用者は、管理者によって配布された無線ＬＡＮアダプタ２を自身の端末装置１のＵＳＢスロット１５に差し込む。このとき、利用者は、無線ＬＡＮを利用するための各種の設定作業等を行う必要はなく、配布された無線ＬＡＮアダプタ２を自身の端末装置１のＵＳＢスロット１５に差し込むだけでよい。
【００２１】
管理者は、オーディオデータや映像データ等を情報提供装置３から端末装置１へ配信するための操作を情報提供装置３の操作部３４を用いて行う。情報提供装置３は、操作された内容に応じて、オーディオデータや映像データ等の各種のデータを、通信網５及びアクセスポイント４を介して端末装置１へ配信する。アクセスポイント４は、通信網５を介して受信されるデータを、無線信号として端末装置１へ配信する。
【００２２】
次に、情報提供装置３から配信されるデータを受信する端末装置１及び無線ＬＡＮアダプタ２の動作について説明する。まず、無線ＬＡＮアダプタ２の無線ＬＡＮＩ／Ｆ２５は、無線ＬＡＮモード設定記憶領域２３１に記憶された設定情報に従って、アクセスポイント４と所定のプロトコルに基づいてデータの授受を行う。コントローラ２２は、無線ＬＡＮＩ／Ｆ２５によって受信されたデータを、無線ＬＡＮモード設定記憶領域２３１に記憶された設定情報に従ってデコード処理を施すとともに、有線ＬＡＮに準拠した形式に変換して、有線ＬＡＮＩ／Ｆ２４に供給する。有線ＬＡＮＩ／Ｆ２４は、供給されるデータを、ＵＳＢ接続端子２１を介して端末装置１へ出力する。
【００２３】
端末装置１は、オペレーティングシステムＯＳに標準装備された有線ＬＡＮドライバを動作させることにより、ＵＳＢ接続端子２１から出力されるデータを受信する。すなわち、端末装置１は、有線ＬＡＮを介してデータを受信するのと同様の態様で、無線ＬＡＮアダプタ２からのデータを受信する。端末装置１は、受信されたデータがオーディオデータである場合には、受信されたオーディオデータに基づいてスピーカ１８から放音する。また、受信されたデータが映像データである場合には、端末装置１は、受信されたデータに基づいた映像を表示部１３に出力する。
【００２４】
端末装置１からは、情報提供装置３から配信されたオーディオデータや映像データに応じた音や映像が流れる。これにより、端末装置１の利用者は、端末装置１から流れる映像や音声を視聴することができる。
【００２５】
ここで、従来の無線ＬＡＮ環境においては、無線ＬＡＮを利用するためには、パーソナルコンピュータへのドライバのインストールが必要であった。それに対しこの実施形態では、端末装置１へは有線ＬＡＮＩ／Ｆのみを提供するから、端末装置１は、オペレーティングシステムＯＳに標準装備される有線ＬＡＮのドライバで動作される。そのため、この実施形態では、従来において無線ＬＡＮ利用時に必要であったドライバのインストールが不要である。
【００２６】
また、この実施形態では、無線ＬＡＮ通信に必要な設定を無線ＬＡＮアダプタ２に事前に済ませて配布するから、これにより、無線ＬＡＮアダプタ２を利用する利用者は、有線ＬＡＮ環境と同等の設定不要な環境でネットワークを利用することができるようになる。このように、この実施形態では、コンピュータの設定や設定変更を利用者が事前に行う必要がない。また、コンピュータの設定作業が不要であるため、アダプタをコンピュータ装置に差し込むだけで、無線ＬＡＮをすぐに利用開始することができる。
【００２７】
また、この実施形態では、利用者によって利用される端末装置１に設定ファイルをコピーする必要がないから、無線ＬＡＮアダプタを２端末装置１からはずしても、設定ファイルが端末装置１内に残らない。これにより、その無線ＬＡＮ環境に係る無線ＬＡＮの設定情報が外部に流出したり悪用されたりするのを防ぐことができる。また、この実施形態では、無線ＬＡＮアダプタ２を有する利用者に対してのみ無線ＬＡＮ環境を提供することができ、それ以外の利用者（無線ＬＡＮアダプタ２を有しない利用者）に対して設定情報を秘匿化できる。
【００２８】
＜変形例＞
以上、この実施形態について説明したが、本発明は上述した形態に限定されるものではなく、他の様々な形態で実施可能である。以下にその一例を示す。また、以下の各態様を適宜に組み合わせてもよい。
（１）上述の実施形態では、ＵＳＢ接続端子２１を介して端末装置１から無線ＬＡＮアダプタ２へ電力が供給され、この電力により無線ＬＡＮアダプタ２の各部が駆動された。無線ＬＡＮアダプタ２を駆動する構成はこれに限らず、例えば、電池を用いて無線ＬＡＮアダプタ２の各部を駆動する構成としてもよい。
また、上述の実施形態では、無線ＬＡＮアダプタ２がＵＳＢ接続端子２１を備え、ＵＳＢ接続端子２１を端末装置１に接続するようにした。無線ＬＡＮアダプタ２と端末装置１とを接続する態様はこれに限定されるものではなく、例えば、無線ＬＡＮアダプタ２が有線ＬＡＮ用のプラグを備える構成とし、この有線ＬＡＮプラグを端末装置１の有線ＬＡＮスロットに差し込むことによって、端末装置１と無線ＬＡＮアダプタ２とを接続するようにしてもよい。この場合は、ＵＳＢＩ／Ｆのような端末装置１からの電源供給ができないから、上述したように電池を用いて無線ＬＡＮアダプタ２の各部を駆動させるようにしてもよい。
【００２９】
（２）上述の実施形態では、無線ＬＡＮアダプタ２のＵＳＢ接続端子２１が端末装置１のＵＳＢスロットに差し込まれることにより、無線ＬＡＮアダプタ２の各部に電力が供給され、無線ＬＡＮアダプタ２の通信制御が起動する構成とした。無線ＬＡＮアダプタ２の通信制御が起動するトリガはこれに限らず、例えば、無線ＬＡＮアダプタ２にＯＮ／ＯＦＦを切り換えるスイッチを設ける構成とし、スイッチがオンされたときに無線ＬＡＮアダプタ２の通信制御が起動されるようにしてもよい。
【００３０】
（３）また、上述の実施形態では、無線ＬＡＮアダプタ２のコントローラ２２が、無線ＬＡＮＩ／Ｆ２５によって受信されたデータの暗号解析を行うようにしたが、必ずしも暗号解析を行う必要はなく、暗号解析を行わないようにしてもよい。
【００３１】
（４）上述の実施形態において、無線ＬＡＮ規格の暗号化に加え、独自の暗号化を併用するようにしてもよい。この場合は、情報提供装置３が、データに独自の暗号化処理を施して通信端末１へ送信するようにし、無線ＬＡＮアダプタ２が、受信したデータを解析して端末装置１へ出力するようにしてもよい。このようにすることにより、無線ＬＡＮ通信を利用できるコンピュータを保有する者が、意図的、偶発的を問わず、提供する無線ＬＡＮ環境によるデータ送受信できないようにすることができる。
【図面の簡単な説明】
【００３２】
【図１】本実施形態に係るシステムの構成の一例を示すブロック図である。
【図２】無線ＬＡＮアダプタのハードウェア構成の一例を示すブロック図である。
【図３】端末装置のハードウェア構成の一例を示すブロック図である。
【図４】情報提供装置のハードウェア構成の一例を示すブロック図である。
【符号の説明】
【００３３】
１…端末装置、２…無線ＬＡＮアダプタ、３…情報提供装置、４…アクセスポイント、５…通信網、１１…制御部、１２…記憶部、１３…表示部、１４…操作部、１５…ＵＳＢスロット、１６…マイクロホン、１７…音声処理部、１８…スピーカ、２１…ＵＳＢ接続端子、２２…コントローラ、２３…記憶部、２４…有線ＬＡＮＩ／Ｆ、２５…無線ＬＡＮＩ／Ｆ、３１…制御部、３２…記憶部、３４…操作部、３５…通信部、２３１…無線ＬＡＮモード設定記憶領域。
【図１】
2009088875.tif 000003
【図２】
2009088875.tif 000004
【図３】
2009088875.tif 000005
【図４】
2009088875.tif 000006